(57)【要約】【課題】外部からプリンタ内部に液体が浸入することを抑制することができる携帯型プリンタを提供する。【解決手段】実施形態の携帯型プリンタは、記録紙を収容する筐体２と、記録紙に対して印刷を行うヘッドと、ヘッドと対向する位置に配置され、ヘッドとの間に記録紙を挟み込んで記録紙を搬送するプラテンローラと、筐体２に設けられ、ヘッドとプラテンローラとを互いに離反させる操作を行うためのボタンと、筐体２におけるボタンの周縁に設けられ、筐体２の外側よりも内側が高くなるように突出する段部５０と、を備える。【選択図】図７
2020069666.tif 000002
【特許請求の範囲】
【請求項１】
記録媒体を収容する筐体と、
前記記録媒体に対して印刷を行うヘッドと、
前記ヘッドと対向する位置に配置され、前記ヘッドとの間に前記記録媒体を挟み込んで前記記録媒体を搬送するプラテンローラと、
前記筐体に設けられ、前記ヘッドと前記プラテンローラとを互いに離反させる操作を行うためのボタンと、
前記筐体における前記ボタンの周縁に設けられ、前記筐体の外側よりも内側が高くなるように突出する段部と、を備えることを特徴とする携帯型プリンタ。
【請求項２】
前記ボタンの押下面が前記筐体の前壁に位置する想定携行姿勢において、前記段部は、前記ボタンの鉛直方向に沿った縁部の少なくとも最下部に設けられていることを特徴とする請求項１に記載の携帯型プリンタ。
【請求項３】
前記想定携行姿勢において、前記段部は、前記ボタンの鉛直方向に沿った縁部の全体にわたって設けられていることを特徴とする請求項２に記載の携帯型プリンタ。
【請求項４】
前記想定携行姿勢において、前記ボタンは、前記筐体の前壁と側壁との境界部分に設けられていることを特徴とする請求項２または３に記載の携帯型プリンタ。
【請求項５】
前記段部は、
前記筐体の外面に隣接する踊り場と、
前記踊り場から突出する突出壁と、を備えることを特徴とする請求項１から４のいずれか一項に記載の携帯型プリンタ。
【請求項６】
前記突出壁の高さは、前記踊り場の幅よりも大きいことを特徴とする請求項５に記載の携帯型プリンタ。
【請求項７】
前記突出壁の幅は、前記踊り場の幅よりも大きいことを特徴とする請求項５または６に記載の携帯型プリンタ。
【請求項８】
前記突出壁と前記ボタンとの間には、隙間が設けられ、
前記踊り場の幅は、前記隙間の幅よりも大きいことを特徴とする請求項５から７のいずれか一項に記載の携帯型プリンタ。
【請求項９】
前記踊り場と前記突出壁とのなす角は、鈍角であることを特徴とする請求項５から８のいずれか一項に記載の携帯型プリンタ。
【請求項１０】
前記プラテンローラを回転自在に支持するカバーと、
前記筐体に設けられ、前記プラテンローラをロックさせるためのロック機構と、を更に備え、
前記筐体は、前記ヘッドを支持し、
前記ボタンは、前記ロック機構のロックを解除可能であることを特徴とする請求項１から９のいずれか一項に記載の携帯型プリンタ。
【発明の詳細な説明】
【技術分野】
【０００１】
本発明は、携帯型プリンタに関する。
【背景技術】
【０００２】
ホスト機器（例えば、ＰＤＡ（Ｐｅｒｓｏｎａｌ  Ｄｉｇｉｔａｌ  Ａｓｓｉｓｔａｎｔ）等）に入力された情報を、外出先等で出力（印刷）するための携帯型プリンタが知られている。携帯型プリンタは、防滴性能が求められる屋外などの環境下で使用されることがある。携帯型プリンタは、筐体と、筐体に設けられたボタン等（例えば、開閉カバー等の開放のために操作するイジェクトボタン等）の可動部品と、を備える。例えば、防滴性能が求められる環境下では、屋外作業時の雨水、使用者の手に付着した水などの液体が、筐体と可動部品との境界部分からプリンタ内部に浸入し、ロール紙、基板等に付着するおそれがある。ロール紙、基板等への液体の付着は、印刷不良、電子部品の故障の要因となる。したがって、携帯型プリンタには、プリンタ内部への液体の浸入を防止する構造が要求される。
このようなプリンタとして、イジェクトボタンとハウジングとの間の隙間からハウジング内部への水の浸入をしにくくするための構成が知られている（例えば、特許文献１参照）。特許文献１では、イジェクトボタンの周縁部に防水用密着面を形成し、防水用密着面がハウジングの内壁面に密着するようにイジェクトボタンを付勢可能としている。
【先行技術文献】
【特許文献】
【０００３】
【特許文献１】特開２０１４−１８８７０７号公報
【発明の概要】
【発明が解決しようとする課題】
【０００４】
しかしながら、特許文献１では、イジェクトボタンをハウジングの内側から組み立てるため、水滴がハウジングとイジェクトボタンとの段差に溜まることがある。特許文献１では、ハウジングに対しイジェクトボタンをオーバーラップさせることができず、イジェクトボタンが水滴の浸入を防止する傘のような役割を果たすことは困難である。段差に溜まった水は、イジェクトボタンを押したときにハウジングの内部に浸入する可能性がある。
【０００５】
本発明は、上記の課題を解決するためになされたものであって、外部からプリンタ内部に液体が浸入することを抑制することができる携帯型プリンタを提供することを目的とする。
【課題を解決するための手段】
【０００６】
本発明の一態様に係る携帯型プリンタは、記録媒体を収容する筐体と、前記記録媒体に対して印刷を行うヘッドと、前記ヘッドと対向する位置に配置され、前記ヘッドとの間に前記記録媒体を挟み込んで前記記録媒体を搬送するプラテンローラと、前記筐体に設けられ、前記ヘッドと前記プラテンローラとを互いに離反させる操作を行うためのボタンと、前記筐体における前記ボタンの周縁に設けられ、前記筐体の外側よりも内側が高くなるように突出する段部と、を備えることを特徴とする。
【０００７】
この構成によれば、筐体におけるボタンの周縁に、筐体の外側よりも内側が高くなるように突出する段部が設けられることにより、外部から筐体内部に液体が浸入することを遮ることができる。したがって、外部からプリンタ内部に液体が浸入することを抑制することができる。加えて、防水用のカバー、撥水オイルなどを使用する場合と比較して、低コストで防滴性能を高めることができる。加えて、撥水オイルを使用する場合に対して、経年劣化により防止効果が薄れることはないため、好適である。
【０００８】
上記の携帯型プリンタでは、前記ボタンの押下面が前記筐体の前壁に位置する想定携行姿勢において、前記段部は、前記ボタンの鉛直方向に沿った縁部の少なくとも最下部に設けられていてもよい。
【０００９】
この構成によれば、段部がボタンの鉛直方向に沿った縁部の少なくとも最下部に設けられることにより、重力の作用により最も液体が溜まりやすい部分において、外部から筐体内部に液体が浸入することを遮ることができる。したがって、外部からプリンタ内部に液体が浸入することをより一層効果的に抑制することができる。
【００１０】
上記の携帯型プリンタでは、前記想定携行姿勢において、前記段部は、前記ボタンの鉛直方向に沿った縁部の全体にわたって設けられていてもよい。
【００１１】
この構成によれば、段部がボタンの鉛直方向に沿った縁部の一部のみに設けられている場合と比較して、外部から筐体内部に液体が浸入することをより一層効果的に遮ることができる。
【００１２】
上記の携帯型プリンタでは、前記想定携行姿勢において、前記ボタンは、前記筐体の前壁と側壁との境界部分に設けられていてもよい。
【００１３】
この構成によれば、液体が筐体の前壁または側壁をつたってボタンに向けて流れてきても、段部により、筐体内部に液体が浸入することを遮ることができる。加えて、ボタンが筐体の前壁または側壁のいずれか一方のみに設けられている場合と比較して、ボタンの操作性向上に寄与する。加えて、ボタンが筐体の前壁のみに設けられている場合と比較して、記録媒体の排出性向上に寄与する。
【００１４】
上記の携帯型プリンタにおいて、前記段部は、前記筐体の外面に隣接する踊り場と、    前記踊り場から突出する突出壁と、を備えてもよい。
【００１５】
この構成によれば、段部が踊り場と突出壁とを備えた簡単な構成で、外部から筐体内部に液体が浸入することを遮ることができる。
【００１６】
上記の携帯型プリンタにおいて、前記突出壁の高さは、前記踊り場の幅よりも大きくてもよい。
【００１７】
この構成によれば、突出壁の高さが踊り場の幅以下の場合と比較して、液体が突出壁を乗り越えにくい。液体は、突出壁を乗り越える前に踊り場から溢れやすいため、外部から筐体内部に液体が浸入することをより一層効果的に遮ることができる。
【００１８】
上記の携帯型プリンタにおいて、前記突出壁の幅は、前記踊り場の幅よりも大きくてもよい。
【００１９】
この構成によれば、突出壁の幅が踊り場の幅以下の場合と比較して、液体が突出壁を乗り越えにくい。液体は、突出壁を乗り越える前に踊り場から溢れやすいため、外部から筐体内部に液体が浸入することをより一層効果的に遮ることができる。
【００２０】
上記の携帯型プリンタにおいて、前記突出壁と前記ボタンとの間には、隙間が設けられ、前記踊り場の幅は、前記隙間の幅よりも大きくてもよい。
【００２１】
この構成によれば、踊り場の幅が隙間の幅以下の場合と比較して、液体が隙間に浸入しにくい。液体は、隙間に浸入する前に踊り場から溢れやすいため、外部から筐体内部に液体が浸入することをより一層効果的に遮ることができる。
【００２２】
上記の携帯型プリンタにおいて、前記踊り場と前記突出壁とのなす角は、鈍角であってもよい。
【００２３】
この構成によれば、踊り場と突出壁とのなす角が鋭角である場合と比較して、液体が踊り場に溜まりにくい。液体は、踊り場の傾斜に沿って流れ落ちやすくなるため、外部から筐体内部に液体が浸入することをより一層効果的に遮ることができる。
【００２４】
上記の携帯型プリンタにおいて、前記プラテンローラを回転自在に支持するカバーと、前記筐体に設けられ、前記プラテンローラをロックさせるためのロック機構と、を更に備え、前記筐体は、前記ヘッドを支持し、前記ボタンは、前記ロック機構のロックを解除可能であってもよい。
【００２５】
この構成によれば、カバーの開閉に伴いヘッド及びプラテンローラが分離可能な構成において、外部からプリンタ内部に液体が浸入することを抑制することができる。
【発明の効果】
【００２６】
本発明によれば、外部からプリンタ内部に液体が浸入することを抑制することができる携帯型プリンタを提供することができる。
【図面の簡単な説明】
【００２７】
【図１】実施形態の携帯型プリンタにおいてカバーが閉位置の状態を示す斜視図である。
【図２】図１の側面図である。
【図３】実施形態の携帯型プリンタにおいてカバーが開位置の状態を示す側面図である。
【図４】実施形態の携帯型プリンタにおいてカバーを取り外した分解斜視図である。
【図５】実施形態の携帯型プリンタにおけるボタンの側面図である。
【図６】実施形態の携帯型プリンタにおいてボタンを取り外した状態を示す斜視図である。
【図７】図６のＶＩＩ−ＶＩＩ断面を含む斜視図である。
【図８】図５のＶＩＩＩ−ＶＩＩＩ断面を含む、実施形態の段部の説明図である。
【図９】比較例のボタン周縁部の説明図である。
【図１０】実施形態の変形例の段部の説明図である。
【発明を実施するための形態】
【００２８】
以下、本発明に係る実施形態について図面を参照して説明する。以下の実施形態では、携帯型プリンタとして、使用者により携行可能とされたサーマルプリンタを例に挙げて説明する。なお、以下の説明に用いる図面では、各部材を認識可能な大きさとするため、各部材の縮尺を適宜変更している。図中において、ＦＲは前方を、ＬＨは左方を、ＵＰは上方をそれぞれ示す。以下の実施形態では、サーマルプリンタが図１に示す前後上下左右方向を向いた状態を携行時の姿勢として想定された想定携行姿勢とし、この想定携行姿勢にあるサーマルプリンタについて説明する。
【００２９】
＜サーマルプリンタ１＞
図１に示すように、サーマルプリンタ１は、筐体２、カバー３、印字ユニット４（図３参照）およびボタン５を備える。サーマルプリンタ１は、記録媒体である記録紙Ｐ（図４参照）に対して情報を印刷するとともに、排出口２４を通して記録紙Ｐを排出する。
【００３０】
＜筐体２＞
例えば、筐体２は、ポリカーボネート等の樹脂材料、または金属材料により形成されている。筐体２の上部は、前壁１０および側壁１４を有する直方体状に形成されている。筐体２の下部は、前方に向けて開口する開口部９（図４参照）を有する箱型形状に形成されている。
【００３１】
筐体２の前壁１０における上部には、サーマルプリンタ１の各種操作を行う操作部１１が設けられている。操作部１１には、電源スイッチ、ＦＥＥＤスイッチ等の各種機能スイッチ１２、電源スイッチのＯＮ／ＯＦＦの情報を知らせるＰＯＷＥＲランプ、サーマルプリンタ１のエラー等を知らせるＥＲＲＯＲランプ等の各種ランプ１３が含まれる。
【００３２】
図４に示すように、筐体２の下部には、開口部９を通してロール紙Ｒが収容されるロール紙収容部２１が画成されている。ロール紙収容部２１は、ロール紙Ｒを保持するガイドプレート２２を備える。ガイドプレート２２とカバー３（図１参照）の内面との間でロール紙Ｒを覆うように保持している。ガイドプレート２２は、左右方向から見た断面視で弧状を有する。ガイドプレート２２は、弧状の内周面にロール紙Ｒの外周面が接触した状態でロール紙Ｒを保持する。ガイドプレート２２は、ロール紙Ｒから引き出された記録紙Ｐを印字ユニット４まで案内する。
【００３３】
実施形態において、記録紙Ｐは、感熱紙である。例えば、記録紙Ｐは、各種ラベル、レシート、チケットの印刷等に好適に使用される。記録紙Ｐは、ロール状に巻回されることで、中空孔を有するロール紙Ｒを構成している。
【００３４】
＜カバー３＞
図１に示すように、カバー３は、サーマルプリンタ１の下部前面を形成する。例えば、カバー３は、ポリカーボネート等の樹脂材料により形成されている。カバー３は、開口部９（図４参照）を開閉する覆い部（ペーパーカバー）である。カバー３は、筐体２に回動可能に支持されている。図３に示すように、カバー３は、カバー３下方のヒンジ構造１５により、筐体２に対して回動可能とされている。ヒンジ構造１５は、筐体２に設けられたヒンジ板１６（図４参照）と、カバー３に設けられたヒンジシャフト１７とが回動可能に連結されることにより形成されている。
【００３５】
カバー３の上端は、プラテンユニット３２を介して筐体２に係止可能とされている。カバー３は、プラテンローラ３６を回転自在に支持する。カバー３の閉位置において、カバー３の上端縁と筐体２の前壁１０における下端縁との間に形成された隙間は、印字ユニット４によって印字される記録紙Ｐが排出される排出口２４を構成している（図１参照）。
【００３６】
図１に示すように、排出口２４の開口縁には、排出口２４から排出される記録紙Ｐを切断する切断刃２５が設けられている。切断刃２５は、筐体２の前壁１０における下端縁（開口縁のうち、上側に位置する部分）、及びカバー３の上端縁にそれぞれ一体で形成されている。例えば、記録紙Ｐを切断刃２５に向けて引き倒すことにより、記録紙Ｐが切断される。
【００３７】
図２に示すように、筐体２における裏側上部には、ストラップ、ベルト等が取り付け可能なフック１９が設けられている。例えば、使用者がサーマルプリンタ１を携行する場合、肩にかけたストラップ、または腰ベルトをフック１９に取り付ける等してサーマルプリンタ１を携行することが多いと想定される。このため、図１に示す前後上下左右方向を向いた状態が、サーマルプリンタ１の想定携行状態となる。
【００３８】
＜印字ユニット４＞
図３に示すように、印字ユニット４は、筐体２に収容されている。印字ユニット４は、ヘッドユニット３１と、プラテンユニット３２と、を備える。印字ユニット４は、記録紙Ｐのうち、ロール紙Ｒから引き出された部分に対して印刷を行う（図４参照）。
【００３９】
ヘッドユニット３１は、筐体２の前壁１０における下端部に設けられている。ヘッドユニット３１は、複数の発熱素子を有するサーマルヘッド３３を備える。サーマルヘッド３３は、不図示のフレキシブル基板を介して制御部等に接続されている。サーマルヘッド３３では、サーマルヘッド３３上に搭載された不図示のドライバＩＣが制御部からの信号に基づいて発熱素子の発熱が制御される。そして、記録紙Ｐが発熱素子を通過する際に、記録紙Ｐに対して印刷が行われる。
【００４０】
プラテンユニット３２は、カバー３の上端部（先端部）に設けられている。プラテンユニット３２は、カバー３の開閉操作に伴いヘッドユニット３１に対して着脱可能に組み合わされる。プラテンユニット３２は、カバー３に取り付けられるプラテンフレーム（不図示）と、プラテンフレームに回転可能に支持されたプラテンローラ３６と、を備える。
【００４１】
プラテンローラ３６は、カバー３の閉状態において、サーマルヘッド３３と対向する位置に配置される。プラテンローラ３６は、サーマルヘッド３３との間に記録紙Ｐを挟み込んで記録紙Ｐを搬送する。
【００４２】
プラテンローラ３６は、左右方向に沿って延びるプラテン軸３７と、プラテン軸３７に外装されたゴム等からなるローラ本体３８と、を備える。プラテン軸３７の両端部には、プラテン軸３７を回転可能に支持する軸受（不図示）がそれぞれ外装されている。プラテンローラ３６は、不図示の軸受を介してプラテンフレームに回転可能に支持されている。
【００４３】
例えば、プラテン軸３７の右側端部には、プラテン用ギヤ（不図示）が装着されている。ヘッドユニット３１には、不図示のプラテン用ギヤに組み合わされる輪列機構および輪列機構に接続されたモータが設けられている。プラテン用ギヤは、プラテンユニット３２とヘッドユニット３１とが組み合わされたとき、ヘッドユニット３１側に設けられた輪列機構に噛合して、モータの回転駆動力をプラテンローラ３６に伝達する。プラテンユニット３２とヘッドユニット３１とが組み合わされたとき、プラテンローラ３６の外周面にヘッドユニット３１におけるサーマルヘッド３３が圧接される。
【００４４】
＜ボタン５＞
図１に示すように、ボタン５は、筐体２の前壁１０と側壁１４との境界部分に設けられている。ボタン５は、押下面４０を前面に有する。ボタン５は、サーマルヘッド３３とプラテンローラ３６とを互いに離反させる操作を行うための操作部である。ボタン５は、筐体２とカバー３との係止を解除し、筐体２の開口部９（図４参照）を開放するための操作部である。
【００４５】
例えば、ボタン５を押下する（想定携行姿勢において後方に押す）ことにより、筐体２とカバー３との係止が解除される。これにより、カバー３が図２に示す閉位置から図３に示す開位置へ回動する。
【００４６】
図６に示すように、筐体２には、ボタン５（図５参照）が収容される収容部４５が設けられている。収容部４５は、ボタン５の基部４１（図５参照）の外周縁に沿う縁部４６を有する。収容部４５は、ボタン５によって内部機構（不図示）と連動させるため、空洞となっている。収容部４５は、筐体２内部とつながっている。筐体２内部には、プリンタメカニズム、電子部品などが実装された制御基板（不図示）が設けられている。制御基板は、筐体２の前壁１０の後方（例えば、図１に示す操作部１１の後方）に配置されている。図中符号４２は、ボタン５の基部４１（図５参照）を前後方向に案内するためのガイドピンを示す。
【００４７】
＜ロック機構４７＞
図３に示すように、筐体２には、プラテンローラ３６をロックさせるためのロック機構４７が設けられている。ロック機構４７は、ローラ挿入溝４９に挿入されたプラテンローラ３６を保持するロックアーム４８を備える。例えば、ボタン５を押下すると、不図示の付勢部材に抗してロックアーム４８が矢印Ｑ１方向に回動する。すると、ロックアーム４８がプラテン軸３７の軸受（不図示）から外れるため、プラテンローラ３６がローラ挿入溝４９から外れる。これにより、カバー３を開くことができる。
【００４８】
＜段部５０＞
図５に示すように、筐体２におけるボタン５の周縁には、筐体２の外側よりも内側が高くなるように突出する段部５０が設けられている。段部５０は、筐体２の側壁１４（外面）よりも内方（左方）において前方に突出している。段部５０は、ボタン５の鉛直方向に沿った縁部４６の少なくとも最下部に設けられている。段部５０は、ボタン５の鉛直方向に沿った縁部４６の全体にわたって設けられている。
【００４９】
図７に示すように、段部５０は、踊り場５１と、突出壁５２と、を備える。
踊り場５１は、筐体２の外面（側壁１４）に隣接している。踊り場５１は、ボタン５の鉛直方向に沿った縁部４６の全体にわたって延在している（図６参照）。踊り場５１は、左右方向と実質的に平行な平坦面を有する（図８参照）。
【００５０】
突出壁５２は、踊り場５１から前方に突出する凸部である。突出壁５２は、ボタン５の鉛直方向に沿った縁部４６の全体にわたって延在している（図６参照）。突出壁５２は、踊り場５１と同一の部材で一体に形成されている。図８の断面視で、突出壁５２は踊り場５１と共にＬ字状をなしている。
【００５１】
図８に示すように、突出壁５２とボタン５の基部４１との間には、筐体内部に連通する隙間５３が設けられている。隙間５３は、突出壁５２とボタン５の基部４１との間を前方に開放している。例えば、隙間５３（隙間５３の幅Ｗ３）は、ボタン５の押下動作（想定携行姿勢における前後変更への移動）がスムーズに行われる程度の大きさを有する。
【００５２】
実施形態において、突出壁５２の高さＨ１は、踊り場５１の幅Ｗ２よりも大きい（Ｈ１＞Ｗ２）。ここで、突出壁５２の高さＨ１は、想定携行姿勢において踊り場５１から前方に突出する突出壁５２の突出量を意味する。踊り場５１の幅Ｗ２は、想定携行姿勢における踊り場５１の平坦面の左右方向の長さを意味する。
【００５３】
実施形態において、突出壁５２の幅Ｗ１は、踊り場５１の幅Ｗ２よりも大きい（Ｗ１＞Ｗ２）。ここで、突出壁５２の幅Ｗ１は、想定携行姿勢における突出壁５２の左右方向の長さ（厚み）を意味する。
【００５４】
実施形態において、踊り場５１の幅Ｗ２は、隙間５３の幅Ｗ３よりも大きい（Ｗ２＞Ｗ３）。ここで、隙間５３の幅Ｗ３は、想定携行姿勢における突出壁５２とボタン５の基部４１との間の左右方向の間隔を意味する。
【００５５】
実施形態において、踊り場５１と突出壁５２とのなす角Ａ１は、実質的に直角をなしている（Ａ１≒９０°）。ここで、角Ａ１は、想定携行姿勢における踊り場５１の平坦面と突出壁５２の外面とのなす角を意味する。
【００５６】
＜段部５０の作用＞
次に、段部５０の作用について比較例と併せて説明する。
図９は、比較例のボタン周縁部の説明図である。比較例は、実施形態の段部５０（図８参照）を有しない。
例えば、屋外作業時の雨水、使用者の手に付着した水などの液体（水滴６０Ｘ）が、筐体２Ｘとボタン５Ｘとの境界部分に留まることがある。比較例において、水滴６０Ｘは、筐体２Ｘとボタン５Ｘとに接触している。水滴６０Ｘは、表面張力により、筐体２Ｘおよびボタン５Ｘに接触しながら球形状を維持する。筐体２Ｘとボタン５Ｘとの境界部分に留まる水滴６０Ｘは、筐体２Ｘとボタン５Ｘとの隙間５３Ｘを通って、筐体２Ｘ内部へ流入する可能性がある。
【００５７】
図８は、実施形態の段部５０の説明図である。
実施形態において、段部５０は、筐体２の外面（側壁１４）に隣接する踊り場５１と、踊り場５１から前方に突出する突出壁５２と、を備える。そのため、屋外作業時の雨水、使用者の手に付着した水などの液体（水滴６０）は、踊り場５１と突出壁５２との境界部分に留まろうとする。実施形態において、水滴６０は、ボタン５には接触せず、踊り場５１と突出壁５２とに接触している。踊り場５１と突出壁５２との境界部分に留まる水滴６０は、踊り場５１に沿って下方に流れ落ちる。そのため、水滴６０が突出壁５２とボタン５との隙間５３に浸入する可能性（筐体２内部へ流入する可能性）は低い。
【００５８】
以上説明したように、本実施形態のサーマルプリンタ１は、記録紙を収容する筐体２と、記録紙に対して印刷を行うヘッド３３と、ヘッド３３と対向する位置に配置され、ヘッド３３との間に記録紙を挟み込んで記録紙を搬送するプラテンローラ３６と、筐体２に設けられ、ヘッド３３とプラテンローラ３６とを互いに離反させる操作を行うためのボタン５と、筐体２におけるボタン５の周縁に設けられ、筐体２の外側よりも内側が高くなるように突出する段部５０と、を備える。
【００５９】
本実施形態によれば、筐体２におけるボタン５の周縁に、筐体２の外側よりも内側が高くなるように突出する段部５０が設けられることにより、外部から筐体２内部に液体が浸入することを遮ることができる。したがって、外部からプリンタ内部に液体が浸入することを抑制することができる。加えて、防水用のカバー、撥水オイルなどを使用する場合と比較して、低コストで防滴性能を高めることができる。加えて、撥水オイルを使用する場合に対して、経年劣化により防止効果が薄れることはないため、好適である。
【００６０】
また、本実施形態では、ボタン５の押下面４０が筐体２の前壁１０に位置する想定携行姿勢において、段部５０は、ボタン５の鉛直方向に沿った縁部４６の少なくとも最下部に設けられている。
【００６１】
本実施形態によれば、段部５０がボタン５の鉛直方向に沿った縁部４６の少なくとも最下部に設けられることにより、重力の作用により最も液体が溜まりやすい部分において、外部から筐体２内部に液体が浸入することを遮ることができる。したがって、外部からプリンタ内部に液体が浸入することをより一層効果的に抑制することができる。
【００６２】
また、本実施形態では、想定携行姿勢において、段部５０は、ボタン５の鉛直方向に沿った縁部４６の全体にわたって設けられている。
【００６３】
本実施形態によれば、段部５０がボタン５の鉛直方向に沿った縁部４６の一部のみに設けられている場合と比較して、外部から筐体２内部に液体が浸入することをより一層効果的に遮ることができる。
【００６４】
また、本実施形態では、想定携行姿勢において、ボタン５は、筐体２の前壁１０と側壁１４との境界部分に設けられている。
【００６５】
本実施形態によれば、液体が筐体２の前壁１０または側壁１４をつたってボタン５に向けて流れてきても、段部５０により、筐体２内部に液体が浸入することを遮ることができる。加えて、ボタン５が筐体２の前壁１０または側壁１４のいずれか一方のみに設けられている場合と比較して、ボタン５の操作性向上に寄与する。加えて、ボタン５が筐体２の前壁１０のみに設けられている場合と比較して、記録紙の排出性向上に寄与する。
【００６６】
また、本実施形態では、段部５０は、筐体２の外面に隣接する踊り場５１と、踊り場５１から突出する突出壁５２と、を備える。
【００６７】
本実施形態によれば、段部５０が踊り場５１と突出壁５２とを備えた簡単な構成で、外部から筐体２内部に液体が浸入することを遮ることができる。
【００６８】
また、本実施形態では、突出壁５２の高さＨ１は、踊り場５１の幅Ｗ２よりも大きい。
【００６９】
本実施形態によれば、突出壁５２の高さＨ１が踊り場５１の幅Ｗ２以下の場合と比較して、液体が突出壁５２を乗り越えにくい。液体は、突出壁５２を乗り越える前に踊り場５１から溢れやすいため、外部から筐体２内部に液体が浸入することをより一層効果的に遮ることができる。
【００７０】
また、本実施形態では、突出壁５２の幅Ｗ１は、踊り場５１の幅Ｗ２よりも大きい。
【００７１】
本実施形態によれば、突出壁５２の幅Ｗ１が踊り場５１の幅Ｗ２以下の場合と比較して、液体が突出壁５２を乗り越えにくい。液体は、突出壁５２を乗り越える前に踊り場５１から溢れやすいため、外部から筐体２内部に液体が浸入することをより一層効果的に遮ることができる。
【００７２】
また、本実施形態では、突出壁５２とボタン５との間には、隙間５３が設けられ、踊り場５１の幅Ｗ２は、隙間５３の幅Ｗ３よりも大きい。
【００７３】
本実施形態によれば、踊り場５１の幅Ｗ２が隙間５３の幅Ｗ３以下の場合と比較して、液体が隙間５３に浸入しにくい。液体は、隙間５３に浸入する前に踊り場５１から溢れやすいため、外部から筐体２内部に液体が浸入することをより一層効果的に遮ることができる。
【００７４】
また、本実施形態では、プラテンローラ３６を回転自在に支持するカバー３と、筐体２に設けられ、プラテンローラ３６をロックさせるためのロック機構４７と、を更に備え、筐体２は、ヘッド３３を支持し、ボタン５は、ロック機構４７のロックを解除可能である。
【００７５】
この構成によれば、カバー３の開閉に伴いヘッド３３及びプラテンローラ３６が分離可能な構成において、外部からプリンタ内部に液体が浸入することを抑制することができる。
【００７６】
（変形例）
なお、本発明の技術範囲は上述した実施形態に限定されるものではなく、本発明の趣旨を逸脱しない範囲において種々の変更を加えることが可能である。
【００７７】
上述した実施形態では、踊り場５１と突出壁５２とのなす角Ａ１が直角である構成について説明したが、これに限らない。
例えば、図１０に示すように、踊り場１５１と突出壁５２とのなす角Ａ１は、鈍角であってもよい。断面視で、踊り場１５１は、踊り場１５１（平坦面）の左端が前方に位置し、かつ、踊り場１５１（平坦面）の右端が後方に位置するように傾斜していてもよい。これにより、水滴６０は、踊り場１５１の傾斜に沿って流れやすい。
【００７８】
本変形例では、踊り場１５１と突出壁５２とのなす角Ａ１は、鈍角である。
【００７９】
本変形例によれば、踊り場５１と突出壁５２とのなす角Ａ１が鋭角である場合と比較して、液体が踊り場１５１に溜まりにくい。液体は、踊り場１５１の傾斜に沿って流れ落ちやすくなるため、外部から筐体２内部に液体が浸入することをより一層効果的に遮ることができる。
【００８０】
上述した実施形態では、想定携行姿勢において、段部５０がボタン５の鉛直方向に沿った縁部４６の全体にわたって設けられている構成について説明したが、これに限らない。例えば、段部５０は、ボタン５の鉛直方向に沿った縁部４６の最下部のみに設けられていてもよい。加えて、段部５０は、ボタン５の周縁部において、ボタン５の水平方向に沿った上縁部および下縁部の少なくとも一方に設けられていてもよい。
【００８１】
上述した実施形態では、突出壁５２の幅Ｗ１が踊り場５１の幅Ｗ２よりも大きい構成（Ｗ１＞Ｗ２）について説明したが、これに限らない。例えば、突出壁５２の幅Ｗ１は、踊り場５１の幅Ｗ２以下であってもよい（Ｗ１≦Ｗ２）。
【００８２】
上述した実施形態では、段部５０が踊り場５１から突出する１つの突出壁５２を備える構成（１つの段部５０のみ備える構成）について説明したが、これに限らない。例えば、段部は、踊り場から突出する複数の突出壁を備えていてもよい。すなわち、段部は、階段状の段構造を有していてもよい。
【００８３】
上述した実施形態では、突出壁５２が踊り場５１と同一の部材で一体に形成されている構成について説明したが、これに限らない。例えば、突出壁５２は、踊り場５１と異なる部材で一体に設けられていてもよい。
【００８４】
上述した実施形態では、携帯型プリンタの一例としてサーマルプリンタを用いた場合について説明したが、これに限らない。例えば、携帯型プリンタは、ドットインパクト式等のサーマルプリンタ以外の種々のプリンタに適用してもよい。
【００８５】
その他、本発明の趣旨を逸脱しない範囲で、上記した実施形態における構成要素を周知の構成要素に置き換えることは適宜可能である。
【符号の説明】
【００８６】
１…サーマルプリンタ（携帯型プリンタ）
２…筐体
１０…前壁
１４…側壁
３３…サーマルヘッド（ヘッド）
３６…プラテンローラ
４０…押下面
４６…縁部
４７…ロック機構
５０…段部
５１，１５１…踊り場
５２…突出壁
５３…隙間
Ａ１…踊り場と突出壁とのなす角
Ｈ１…突出壁の高さ
Ｐ…記録紙（記録媒体）
Ｗ１…突出壁の幅
Ｗ２…踊り場の幅
Ｗ３…隙間の幅
【図１】
2020069666.tif 000003
【図２】
2020069666.tif 000004
【図３】
2020069666.tif 000005
【図４】
2020069666.tif 000006
【図５】
2020069666.tif 000007
【図６】
2020069666.tif 000008
【図７】
2020069666.tif 000009
【図８】
2020069666.tif 000010
【図９】
2020069666.tif 000011
【図１０】
2020069666.tif 000012